【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
酸化窒素生成システムであって、
反応ガスの流れからの酸化窒素（ＮＯ）を含有する生成ガスを生成するように構成された少なくとも１つの電極対と、
少なくとも１つの制御装置であって、前記制御装置への入力として１つまたは複数のパラメータを使用して、前記少なくとも１つの電極対による前記生成ガス中の酸化窒素の量を調整するように構成され、前記１つまたは複数のパラメータは、前記反応ガス、前記生成ガス、および前記生成ガスが流入する医療用ガスの少なくとも１つに関する情報を収集するように構成された複数のセンサからの情報を含む、制御装置と、
前記生成ガスから少なくとも二酸化窒素（ＮＯ２）を除去するように構成され、前記生成ガスの継続的な供給および前記生成ガスの２つ以上の治療装置への供給の少なくとも１つを保証するために用いられる、独立した交換可能な２つ以上の浄化器と、を備え、
前記反応ガスの流量が前記医療用ガスの流量に比例する、酸化窒素生成システム。
【請求項２】
前記２つ以上の浄化器のうちの第１の浄化器は除去されるように構成され、前記生成ガスは前記２つ以上の浄化器のうちの第２の浄化器を通って流れるように構成される、請求項１に記載の酸化窒素生成システム。
【請求項３】
前記２つ以上の浄化器のうちの前記第２の浄化器の下流に配置された弁をさらに備え、前記弁が前記生成ガスの継続的な送達のために前記生成ガスの流れを誘導するように構成される、請求項２に記載の酸化窒素生成システム。
【請求項４】
前記２つ以上の浄化器のうちの第１の浄化器は、前記医療用ガスに誘導された前記生成ガスを浄化するために使用されるように構成され、前記２つ以上の浄化器のうちの第２の浄化器は、前記複数のセンサに誘導された前記生成ガスを同時に浄化するために使用されるように構成される、請求項１に記載の酸化窒素生成システム。
【請求項５】
前記複数のセンサが前記生成ガスを監視するように構成される、請求項４に記載の酸化窒素生成システム。
【請求項６】
前記生成ガスは、前記２つ以上の浄化器のうちの１つを通って誘導される前に、前記複数のセンサに誘導される、請求項１に記載の酸化窒素生成システム。
【請求項７】
前記少なくとも１つの電極対が、第１の生成ガスを生成するように構成された第１の電極対と、第２の生成ガスを生成するように構成された第２の電極対とを備える、請求項１に記載の酸化窒素生成システム。
【請求項８】
前記２つ以上の浄化器のうちの第１の浄化器は、第１の治療装置への前記第１の生成ガスを浄化し、前記２つ以上の浄化器のうちの第２の浄化器は、第２の治療装置への前記第２の生成ガスを浄化する、請求項７に記載の酸化窒素生成システム。
【請求項９】
前記第１の治療装置および前記第２の治療装置は同時に使用されるように構成される、請求項８に記載の酸化窒素生成システム。
【請求項１０】
前記第１の治療装置が人工呼吸器である、請求項８に記載の酸化窒素生成システム。
【請求項１１】
前記第２の治療装置が手動呼吸装置である、請求項８に記載の酸化窒素生成システム。
【請求項１２】
前記第２の電極対による前記第２の生成ガスは、前記第１の生成ガスの生成に障害が発生した場合に前記第１の治療装置に送達されるように構成される、請求項７に記載の酸化窒素生成システム。
【請求項１３】
前記生成ガスと前記医療用ガスとの組合せにおけるＮＯの濃度が目標値である、請求項１に記載の酸化窒素生成システム。
【請求項１４】
前記２つ以上の浄化器のうちの第１の浄化器からの前記医療用ガスおよび前記生成ガスの組合せにおけるＮＯの目標値は、前記２つ以上の浄化器のうちの第２の浄化器からの前記医療用ガスおよび前記生成ガスの組合せにおけるＮＯの目標値と実質的に等しく、前記２つ以上の浄化器のうちの前記第１の浄化器から第１の治療装置のための前記２つ以上の浄化器のうちの前記第２の浄化器に移行するときに、実質的に一定のＮＯの投与量が維持されるように構成される、請求項１に記載の酸化窒素生成システム。
【請求項１５】
前記２つ以上の浄化器のうちの第１の浄化器からの前記医療用ガスおよび前記生成ガスの組合せにおけるＮＯの目標値は、前記２つ以上の浄化器のうちの第２の浄化器からの前記医療用ガスおよび前記生成ガスの組合せにおけるＮＯの目標値と実質的に等しく、第１の治療装置のための前記２つ以上の浄化器のうちの前記第１の浄化器から第２の治療装置のための前記２つ以上の浄化器のうちの前記第２の浄化器に移行するときに、実質的に一定のＮＯの投与量が維持されるように構成される、請求項１に記載の酸化窒素生成システム。
【請求項１６】
酸化窒素生成システムであって、
反応ガスの流れからの酸化窒素（ＮＯ）を含有する生成ガスを生成するように構成された少なくとも１つの電極対と、
制御装置であって、前記制御装置への入力として１つまたは複数のパラメータを使用して、前記少なくとも１つの電極対による前記生成ガス中の酸化窒素の量を調整するように構成され、前記１つまたは複数のパラメータは、前記反応ガス、前記生成ガス、および前記生成ガスが流入する医療用ガスの少なくとも１つに関する情報を収集するように構成された複数のセンサからの情報を含む、制御装置と、
前記生成ガスから少なくとも二酸化窒素（ＮＯ２）を除去するように構成された交換可能な浄化器と、を備え、
前記少なくとも１つの電極対、前記制御装置および前記浄化器が、前記システムにおける冗長性を有するように複製され、前記システムが冗長な構成要素間での切り替えを自動的に行い、前記生成ガスの継続的な生産および継続的な供給の少なくとも１つを保証するように構成されており、
前記反応ガスの流量が前記医療用ガスの流量に比例する、酸化窒素生成システム。
【請求項１７】
前記冗長性が障害発生中に前記生成ガスの継続的な生産および継続的な供給の少なくとも１つを保証する、請求項１６に記載の酸化窒素生成システム。
【請求項１８】
前記生成ガスにおけるＮＯの濃度が障害発生中に目標値を維持する、請求項１６に記載の酸化窒素生成システム。
【請求項１９】
障害が発生したときの通知をさらに備える、請求項１６に記載の酸化窒素生成システム。
【請求項２０】
２つ以上の反応ガスの流量制御装置をさらに備える、請求項１６に記載の酸化窒素生成システム。
【請求項２１】
前記２つ以上の反応ガスの流量制御装置は、比例弁およびデジタル弁の少なくとも１つを備える、請求項２０に記載の酸化窒素生成システム。
【請求項２２】
２つ以上の医療用ガスの流量センサをさらに備える、請求項１６に記載の酸化窒素生成システム。
【請求項２３】
酸化窒素生成方法であって、
１つまたは複数のプラズマチャンバの中の反応ガスをイオン化し、前記１つまたは複数のプラズマチャンバを通る前記反応ガスの流れを使用して酸化窒素（ＮＯ）を含有する生成ガスを生成するプラズマを生成することと、
前記１つまたは複数のプラズマチャンバを制御するために１つまたは複数の制御装置によって使用される制御アルゴリズムへの入力として１つまたは複数のパラメータを使用して、前記生成ガス中の酸化窒素の量を制御することであって、前記１つまたは複数のパラメータの少なくとも１つは、前記生成ガス及び前記生成ガスが流れ込む医療用ガスの組合せにおけるＮＯの目標濃度に関係することと、
第１の浄化器および第２の浄化器のうちの少なくとも１つを通る浄化経路を通って前記生成ガスを誘導することであって、前記第１の浄化器および前記第２の浄化器は前記医療用ガスへの前記生成ガスの継続的な供給を保証するために使用されることと、を含み、
前記反応ガスの流量が前記医療用ガスの流量に比例する、酸化窒素生成方法。
【請求項２４】
前記第１の浄化器は第１の治療装置への前記生成ガスを浄化し、前記第２の浄化器は第２の治療装置への前記生成ガスを浄化する、請求項２３に記載の酸化窒素生成方法。
【請求項２５】
前記第１の浄化器は前記医療用ガスに誘導された前記生成ガスを浄化し、前記第２の浄化器は複数のセンサに誘導された前記生成ガスを浄化する、請求項２３に記載の酸化窒素生成方法。
【請求項２６】
第１のプラズマチャンバからの第１の生成ガスは第１の浄化器および前記医療用ガスに誘導され、第２のプラズマチャンバからの第２の生成ガスは複数のセンサに誘導される、請求項２３に記載の酸化窒素生成方法。
【請求項２７】
酸化窒素生成システムであって、
反応ガスの流れからの酸化窒素（ＮＯ）を含有する生成ガスを生成するように構成された少なくとも１つの電極対と、
少なくとも１つの制御装置であって、前記制御装置への入力として１つまたは複数のパラメータを使用して、前記少なくとも１つの電極対による前記生成ガス中の酸化窒素の量を調整するように構成され、前記１つまたは複数のパラメータは、前記反応ガス、前記生成ガス、および前記生成ガスが流入する医療用ガスの少なくとも１つに関する情報を収集するように構成された複数のセンサからの情報を含む、制御装置と、
前記生成ガスから少なくとも二酸化窒素（ＮＯ２）を除去するように構成され、前記生成ガスの継続的な供給および前記生成ガスの２つ以上の治療装置への供給の少なくとも１つを保証するために用いられる、独立した交換可能な２つ以上の浄化器と、を備え、
前記２つ以上の浄化器のうちの第１の浄化器からの前記医療用ガスおよび前記生成ガスの組合せにおけるＮＯの目標値は、前記２つ以上の浄化器のうちの第２の浄化器からの前記医療用ガスおよび前記生成ガスの組合せにおけるＮＯの目標値と実質的に等しく、前記２つ以上の浄化器のうちの前記第１の浄化器から第１の治療装置のための前記２つ以上の浄化器のうちの前記第２の浄化器に移行するときに、実質的に一定のＮＯの投与量が維持されるように構成される、酸化窒素生成システム。
【請求項２８】
酸化窒素生成システムであって、
反応ガスの流れからの酸化窒素（ＮＯ）を含有する生成ガスを生成するように構成された少なくとも１つの電極対と、
少なくとも１つの制御装置であって、前記制御装置への入力として１つまたは複数のパラメータを使用して、前記少なくとも１つの電極対による前記生成ガス中の酸化窒素の量を調整するように構成され、前記１つまたは複数のパラメータは、前記反応ガス、前記生成ガス、および前記生成ガスが流入する医療用ガスの少なくとも１つに関する情報を収集するように構成された複数のセンサからの情報を含む、制御装置と、
前記生成ガスから少なくとも二酸化窒素（ＮＯ２）を除去するように構成され、前記生成ガスの継続的な供給および前記生成ガスの２つ以上の治療装置への供給の少なくとも１つを保証するために用いられる、独立した交換可能な２つ以上の浄化器と、を備え、
前記２つ以上の浄化器のうちの第１の浄化器からの前記医療用ガスおよび前記生成ガスの組合せにおけるＮＯの目標値は、前記２つ以上の浄化器のうちの第２の浄化器からの前記医療用ガスおよび前記生成ガスの組合せにおけるＮＯの目標値と実質的に等しく、第１の治療装置のための前記２つ以上の浄化器のうちの前記第１の浄化器から第２の治療装置のための前記２つ以上の浄化器のうちの前記第２の浄化器に移行するときに、実質的に一定のＮＯ投与量が維持されるように構成される、酸化窒素生成システム。
【請求項２９】
酸化窒素生成システムであって、
反応ガスの流れからの酸化窒素（ＮＯ）を含有する生成ガスを生成する少なくとも１つの電極対と、
２つ以上の反応ガスの流量制御装置と、
制御装置であって、前記制御装置への入力として１つまたは複数のパラメータを使用して、前記少なくとも１つの電極対による前記生成ガス中の酸化窒素の量を調整するように構成され、前記１つまたは複数のパラメータは、前記反応ガス、前記生成ガス、および前記生成ガスが流入する医療用ガスの少なくとも１つに関する情報を収集するように構成された複数のセンサからの情報を含む、制御装置と、
前記生成ガスから少なくとも二酸化窒素（ＮＯ２）を除去するように構成された交換可能な浄化器と、を備え、
前記少なくとも１つの電極対、前記制御装置および前記浄化器が、前記システムにおける冗長性を有するように複製され、前記システムが冗長な構成要素間での切り替えを自動的に行い、前記生成ガスの継続的な生産および継続的な供給の少なくとも１つを保証するように構成されている、酸化窒素生成システム。
【請求項３０】
酸化窒素生成方法であって、
１つまたは複数のプラズマチャンバの中の反応ガスをイオン化し、前記１つまたは複数のプラズマチャンバを通る前記反応ガスの流れを使用して酸化窒素（ＮＯ）を含有する生成ガスを生成するプラズマを生成することと、
前記１つまたは複数のプラズマチャンバを制御するために１つまたは複数の制御装置によって使用される制御アルゴリズムへの入力として１つまたは複数のパラメータを使用して、前記生成ガス中の酸化窒素の量を制御することであって、前記１つまたは複数のパラメータの少なくとも１つは、前記生成ガス及び前記生成ガスが流れ込む医療用ガスの組合せにおけるＮＯの目標濃度に関係することと、
第１の浄化器および第２の浄化器のうちの少なくとも１つを通る浄化経路を通って前記生成ガスを誘導することであって、前記第１の浄化器および前記第２の浄化器は前記医療用ガスへの前記生成ガスの継続的な供給を保証するために使用されることと、を含み、
第１のプラズマチャンバからの第１の生成ガスは第１の浄化器および前記医療用ガスに誘導され、第２のプラズマチャンバからの第２の生成ガスは複数のセンサに誘導される、酸化窒素生成方法。
【請求項３１】
酸化窒素生成システムであって、
１つまたは複数のプラズマチャンバであって、反応ガスをイオン化し、前記１つまたは複数のプラズマチャンバを通る前記反応ガスの流れを使用して酸化窒素（ＮＯ）を含有する生成ガスを生成するプラズマを生成するように構成された、１つまたは複数のプラズマチャンバと、
１つまたは複数のパラメータを制御アルゴリズムへの入力として使用して、前記１つまたは複数のプラズマチャンバ内の前記生成ガス中の酸化窒素の量を調節するように構成された制御装置であって、前記１つまたは複数のパラメータの少なくとも１つは、前記生成ガス及び前記生成ガスが流れ込む医療用ガスの組合せにおけるＮＯの目標濃度に関係する、制御装置と、
前記医療用ガスに関連する測定値に基づいて、前記１つまたは複数のプラズマチャンバへの前記反応ガスの制御された可変流を提供するように構成された流量制御装置と、
前記１つまたは複数のプラズマチャンバによって生成された前記生成ガスからＮＯ２を除去するように構成された１つまたは複数の浄化経路と、を備え、
前記生成ガスおよび前記医療用ガスの組合せにおける前記ＮＯの目標濃度が可変の目標濃度であり、
前記医療用ガスに関連する前記測定値が前記医療用ガスの流量であり、前記１つまたは複数のプラズマチャンバを通る前記反応ガスの流れが前記医療用ガスの流量に比例する、酸化窒素生成システム。
【請求項３２】
前記１つまたは複数のプラズマチャンバに反応ガスの流れを提供するように構成される反応ガス源をさらに備える、請求項３１に記載の酸化窒素生成システム。
【請求項３３】
前記反応ガス源が加圧リザーバの形態である、請求項３２に記載の酸化窒素生成システム。
【請求項３４】
前記反応ガス源がポンプの形態である、請求項３２に記載の酸化窒素生成システム。
【請求項３５】
前記流量制御装置が、１つまたは複数のポンプ、１つまたは複数の比例弁、１つまたは複数のデジタル弁、および少なくとも１つの比例弁と少なくとも１つのデジタル弁との組合せから成る群から選択される、請求項３１に記載の酸化窒素生成システム。
【請求項３６】
前記１つまたは複数の浄化経路からＮＯ濃縮空気を受け取るように配置され、前記ＮＯ濃縮空気をフィルタリングするように構成された、１つまたは複数のフィルタをさらに備える、請求項３１に記載の酸化窒素生成システム。
【請求項３７】
高電圧回路への入力として継続的でカスタマイズ可能な制御ＡＣ波形を生成する信号プロセッサをさらに備える、請求項３１に記載の酸化窒素生成システム。
【請求項３８】
前記信号プロセッサは、少なくとも１つの前記ＡＣ波形の周波数およびデューティサイクルを制御することによって前記ＡＣ波形の形状を制御するように構成される、請求項３７に記載の酸化窒素生成システム。
【請求項３９】
酸化窒素生成システムであって、
１つまたは複数のプラズマチャンバであって、反応ガスをイオン化し、前記１つまたは複数のプラズマチャンバを通る前記反応ガスの流れを使用して酸化窒素（ＮＯ）を含有する生成ガスを生成するプラズマを生成するように構成された、１つまたは複数のプラズマチャンバと、
１つまたは複数のパラメータを制御アルゴリズムへの入力として使用して、前記１つまたは複数のプラズマチャンバ内の前記生成ガス中の酸化窒素の量を調節するように構成された制御装置であって、前記１つまたは複数のパラメータの少なくとも１つは、前記生成ガス及び前記生成ガスが流れ込む医療用ガスの組合せにおけるＮＯの目標濃度、および、前記医療用ガスおよび前記反応ガスの少なくとも１つのガスの流量の測定値のうちの少なくとも１つに関係する、制御装置と、
前記生成ガスが流れ込む医療用ガスに関連する測定値に基づいて、前記反応ガスの制御された可変流を提供するように構成された流量制御装置と、を備え、
前記医療用ガスの前記ガスの流量の測定値が前記医療用ガスの流量であり、前記１つまたは複数のプラズマチャンバを通る前記反応ガスの空気流が前記医療用ガスの流量に比例する、酸化窒素生成システム。
【請求項４０】
前記１つまたは複数のプラズマチャンバによって生成された前記生成ガスからＮＯ２を除去するように構成された、１つまたは複数の浄化経路をさらに備える、請求項３９に記載の酸化窒素生成システム。
【請求項４１】
前記１つまたは複数のプラズマチャンバに反応ガスの流れを提供するように構成される反応ガス源をさらに備える、請求項３９に記載の酸化窒素生成システム。
【請求項４２】
前記反応ガス源がリザーバの形態である、請求項４１に記載の酸化窒素生成システム。
【請求項４３】
前記反応ガス源がポンプの形態である、請求項４１に記載の酸化窒素生成システム。
【請求項４４】
前記反応ガス源が圧縮ガス源である、請求項４１に記載の酸化窒素生成システム。
【請求項４５】
前記反応ガス源が換気装置である、請求項４１に記載の酸化窒素生成システム。
【請求項４６】
前記制御アルゴリズムの入力パラメータが、併用治療パラメータ、患者パラメータ、周囲環境パラメータ、装置パラメータ、およびＮＯ治療パラメータから成る群から選択される、請求項３９に記載の酸化窒素生成システム。
【請求項４７】
前記併用治療パラメータが、前記酸化窒素生成システムと共に使用されている１つまたは複数の装置に関係する、流量、圧力、ガス温度、またはガス湿度情報を含む、請求項４６に記載の酸化窒素生成システム。
【請求項４８】
前記患者パラメータが、吸気流量、ＳｐＯ２、呼吸タイミング、１回呼吸量、分時体積、または呼気ＮＯ２を含む、請求項４６に記載の酸化窒素生成システム。
【請求項４９】
前記周囲環境パラメータが、周囲温度、周囲圧力、周囲湿度、周囲ＮＯ、または周囲ＮＯ２を含む、請求項４６に記載の酸化窒素生成システム。
【請求項５０】
前記装置パラメータが、プラズマチャンバ圧力、プラズマチャンバ流量、プラズマチャンバ温度、プラズマチャンバ湿度、電極温度、電極タイプ、電極間隙、電極寿命、筐体内部湿度、または二次回路共振周波数を含む、請求項４６に記載の酸化窒素生成システム。
【請求項５１】
前記ＮＯ治療パラメータが、目標ＮＯ濃度、測定ＮＯ濃度、表示ＮＯ２濃度、およびＮＯ生産推定値のうちの少なくとも１つを含む、請求項４６に記載の酸化窒素生成システム。
【請求項５２】
前記１つまたは複数のプラズマチャンバによって生成された前記生成ガスからＮＯ２を除去するように構成された１つまたは複数の浄化経路をさらに備える、請求項３９に記載の酸化窒素生成システム。
【請求項５３】
前記反応ガス源がリザーバの形態である、請求項３９に記載の酸化窒素生成システム。
【請求項５４】
前記生成ガスおよび前記医療用ガスの組合せにおける前記ＮＯの目標濃度が可変の目標濃度である、請求項３９に記載の酸化窒素生成システム。
【請求項５５】
酸化窒素生成システムであって、
反応ガスの流れからの酸化窒素（ＮＯ）を含有する生成ガスを生成するように構成された少なくとも１つの電極対と、
少なくとも１つの制御装置であって、前記制御装置への入力として１つまたは複数のパラメータを使用して、前記少なくとも１つの電極対によって生成された前記生成ガス中の酸化窒素の量を調整するように構成され、前記１つまたは複数のパラメータは、前記反応ガス、前記生成ガス、および前記生成ガスの少なくとも一部が流入する吸気ガスの少なくとも１つに関する情報を収集するように構成された複数のセンサからの情報を含む、制御装置と、を備え、
前記生成ガスの第１の部分が前記吸気ガスに注入され、前記生成ガスの第２の部分が前記酸化窒素生成システムに再循環されて前記生成ガスの再循環ループを形成する、酸化窒素生成システム。
【請求項５６】
前記酸化窒素生成システムからの前記生成ガスの流量は、前記吸気ガスに注入される前記生成ガスの前記第１の部分の流量よりも多く、注入される前記生成ガスにおける運搬時間およびＮＯ２生成量を低減する、請求項５５に記載の酸化窒素生成システム。
【請求項５７】
前記生成ガスと再循環した前記生成ガスとの混合物を、前記再循環ループを通して送り込む再循環ポンプをさらに備える、請求項５５に記載の酸化窒素生成システム。
【請求項５８】
前記再循環ポンプがガスの前記混合物を前記再循環ループに送り込むときに、前記生成ガスと再循環した前記生成ガスとの前記混合物からＮＯ２を継続的に除去するように構成された浄化器をさらに備える、請求項５７に記載の酸化窒素生成システム。
【請求項５９】
前記生成ガスの前記第２の部分が、前記少なくとも１つの電極対に再循環される、請求項５５に記載の酸化窒素生成システム。
【請求項６０】
前記少なくとも１つの電極対の下流に配置された、ＮＯ２を除去する浄化器をさらに備える、請求項５５に記載の酸化窒素生成システム。
【請求項６１】
前記生成ガスの前記第１の部分の前記吸気ガスへの注入を制御する弁をさらに備える、請求項５５に記載の酸化窒素生成システム。
【請求項６２】
前記生成ガスの前記第２の部分の再循環の戻りレグを閉じることによって、前記生成ガスの前記第１の部分を前記吸気ガスに誘導するように構成された弁をさらに備える、請求項５５に記載の酸化窒素生成システム。
【請求項６３】
前記再循環ループが鼻カニューレ内にある、請求項５５に記載の酸化窒素生成システム。
【請求項６４】
前記生成ガス中のＮＯの濃度が５ｐｐｍから５０００ｐｐｍの間である、請求項５５に記載の酸化窒素生成システム。
【請求項６５】
前記生成ガスの前記第１の部分の流れは、吸気事象とタイミングが合わせられる、請求項５５に記載の酸化窒素生成システム。
【請求項６６】
酸化窒素生成システムであって、
反応ガスの流れからの酸化窒素（ＮＯ）を含有する生成ガスを生成するように構成された少なくとも１つの電極対と、
少なくとも１つの制御装置であって、前記制御装置への入力として１つまたは複数のパラメータを使用して、前記少なくとも１つの電極対による前記生成ガス中の酸化窒素の量を調整するように構成され、前記１つまたは複数のパラメータは、前記反応ガス、前記生成ガス、および前記生成ガスの少なくとも一部が流入する吸気ガスの少なくとも１つに関する情報を収集するように構成された複数のセンサからの情報を含む、制御装置と、
前記生成ガスの第１の部分を前記吸気ガスに誘導し、前記生成ガスの第２の部分を前記酸化窒素生成システムに戻る再循環経路に誘導するように構成された弁と、
前記少なくとも１つの電極対からの生成ガスと前記生成ガスの前記第２の部分との組合せからＮＯ２を継続的に除去するように構成された浄化器と、
を備える、酸化窒素生成システム。
【請求項６７】
前記生成ガスの前記第２の部分が、前記少なくとも１つの電極対に再循環される、請求項６６に記載の酸化窒素生成システム。
【請求項６８】
前記生成ガス中のＮＯの濃度が５ｐｐｍから５０００ｐｐｍの間である、請求項６６に記載の酸化窒素生成システム。
【請求項６９】
前記再循環ループが鼻カニューレ内にある、請求項６６に記載の酸化窒素生成システム。
【請求項７０】
少なくとも１つの電極対を用いて反応ガスをイオン化し、反応ガスを含む流れの中に酸化窒素を含有する生成ガスを生成するためのプラズマを生成することと、
前記電極を制御するために１つまたは複数の制御装置によって使用される制御アルゴリズムへの入力として１つまたは複数のパラメータを使用して、前記生成ガス中の酸化窒素の量を制御することであって、前記１つまたは複数のパラメータのうちの少なくとも１つは、前記反応ガス、前記生成ガス、および前記生成ガスの少なくとも一部が流入する吸気ガスのうちの少なくとも１つに関連する情報を収集するように構成された複数のセンサからの情報に関連していることと、
前記生成ガスの第１の部分を吸気ガスに注入することと、
前記生成ガスの第２の部分を前記酸化窒素生成システムに再循環させて、再循環ループを形成することと、
を含んだ、酸化窒素生成方法。
【請求項７１】
前記生成ガスの前記第１の部分におけるＮＯ２生成量が、注入される流量以上の再循環ループの流量を利用することによって低減される、請求項７０に記載の酸化窒素生成方法。
【請求項７２】
前記生成ガスの前記第２の部分が継続的に再循環される、請求項７０に記載の酸化窒素生成方法。
【請求項７３】
前記再循環ループを通る流量が一定である、請求項７０に記載の酸化窒素生成方法。
【請求項７４】
前記反応ガスの流れが継続的な可変流である、請求項７０に記載の酸化窒素生成方法。